【手続補正書】
【提出日】平成24年9月25日(2012.9.25)
【手続補正１】
【補正対象書類名】特許請求の範囲
【補正対象項目名】全文
【補正方法】変更
【補正の内容】
【特許請求の範囲】
【請求項１】
レンズであって、
アイポイントを含む高透光性領域と、
前記高透光性領域の全周を囲むように設けられ、前記高透光性領域よりも遮光率の高い低透光性領域と、を有し、
前記低透光性領域は、前記高透光性領域から前記レンズの周辺に向かって遮光率が変化する領域を含む、
レンズ。
【請求項２】
請求項１において、
前記遮光率が変化する領域は、前記レンズの周辺に向かって遮光率が増加する領域を含む、
レンズ。
【請求項３】
請求項１または２において、
前記高透光性領域と前記低透光性領域との境界は、視野角が２０度よりも狭く１０度以上の範囲にあり、かつ、
前記高透光性領域は全遮光率が０〜１０％の領域を含む、レンズ。
【請求項４】
請求項１ないし３のいずれかにおいて、
前記低透光性領域は、第１の低透光性領域と、前記第１の低透光性領域の全周を囲むように設けられ、前記第１の低透光性領域よりも遮光率の高い第２の低透光性領域と、
を含む、
レンズ。
【請求項５】
請求項１ないし４のいずれかにおいて、前記低透光性領域は、波長７６０〜１３００ｎｍの光の遮光率が高い領域を含む、レンズ。
【請求項６】
請求項１ないし４のいずれかにおいて、前記低透光性領域は、波長３１０〜４００ｎｍの光の遮光率が高い領域を含む、レンズ。
【請求項７】
請求項１ないし６のいずれかにおいて、比較的遠くを見るための遠用領域と、比較的近くを見るための近用領域と、前記遠用領域と前記近用領域との間にあって屈折力が連続的に変化する領域とをさらに有し、前記アイポイントは、前記遠用領域の中心である、レンズ。
【請求項８】
請求項１ないし７のいずれかにおいて、
前記レンズの一方の面に形成され、前記高透光性領域の遮光率および前記低透光性領域の遮光率を変化させる調光層と、
前記レンズの他方の面に形成され、前記高透光性領域に対して前記低透光性領域の遮光率を高くする遮光層と、
を有する、
レンズ。
【手続補正２】
【補正対象書類名】明細書
【補正対象項目名】００１９
【補正方法】変更
【補正の内容】
【００１９】
【図１】眼鏡レンズを有する眼鏡を物体側から見た斜視図。
【図２】眼鏡レンズを有する眼鏡を物体側から見た正面図。
【図３】眼鏡レンズを物体側から見た正面図。
【図４】図３に示す眼鏡レンズのIV−IV断面図。
【図５】図４に示す遮光層の遮光率の分布を示した図。
【図６】視野角に対応するグレアを示した図。
【図７】グレア角と視効率の関係を示した図。
【図８】視野角の求め方を示した図。
【図９】視標探索時の頭位（眼位）運動を示した図。
【図１０】眼鏡レンズの領域を示した図。
【図１１】（ａ）は裸眼の状態で眼球から得られる像の感度を模式的に示した図で、（ｂ）はグレアカット対応の眼鏡レンズを装着した状態で眼球から得られる像の感度を模式的に示した図。
【図１２】グレアカット効果の実験に用いた眼鏡レンズサンプルの正面図。
【図１３】図１２に示す眼鏡レンズの明室におけるコントラスト感度を示した図。
【図１４】図１２に示す眼鏡レンズの明室における異なるコントラスト感度を示した図。
【図１５】図１２に示す眼鏡レンズの半暗室におけるコントラスト感度を示した図。
【図１６】図１２に示す眼鏡レンズの半暗室における異なるコントラスト感度を示した図。
【図１７】染色の一例を示した図。
【図１８】（ａ）は第２の実施形態に係る眼鏡レンズを物体側から見た正面図で、（ｂ）は第２の実施形態に係る眼鏡レンズの遮光層の遮光率の分布を示した図。
【図１９】第３の実施形態に係る眼鏡レンズの遮光層の遮光率の分布を示した図。
【図２０】第４の実施形態に係る眼鏡レンズの遮光層の遮光率の分布を示した図。
【図２１】第５の実施形態に係る眼鏡レンズの遮光層の遮光率の分布を示した図。
【図２２】第６の実施形態に係る眼鏡レンズの遮光層の遮光率の分布を示した図。
【図２３】第７の実施形態に係る眼鏡レンズの遮光層の遮光率の分布を示した図。
【図２４】第８の実施形態に係る眼鏡レンズを物体側から見た正面図。
【手続補正３】
【補正対象書類名】明細書
【補正対象項目名】００２１
【補正方法】変更
【補正の内容】
【００２１】
図３に、眼鏡レンズ１０を抜き出して、物体側から見た正面図で示している。図４に、眼鏡レンズ１０の概略構成を、縦方向の端面図（図３のIV−IV端面）で示している。図３においては、説明のため、眼鏡レンズ１０におけるアイポイント１１を含む高透光性領域１２と、その高透光性領域１２の全周を囲むように設けられた低透光性領域１４との境界１３を破線で示している。この例では、周辺１５に向かって遮光率が増加するグラディエント領域１６は境界１３に隣接するように設けられている。したがって、高透光性領域１２と低透光性領域１４との境界１３において遮光率は滑らかに変化しており、破線で示された境界１３は、眼鏡１を装着したときに外から眼鏡１を見た人にも、また、眼鏡１を装着しているユーザーにもほとんど意識されない、あるいは目立たないようになっている。
【手続補正４】
【補正対象書類名】明細書
【補正対象項目名】００２７
【補正方法】変更
【補正の内容】
【００２７】
１．２  高透光性領域および低透光性領域を有する眼鏡レンズのグレアカット効果につい
て
図６に、視野角に対応するグレア（眩しさ）を示している。図７に、グレア角と視効率（見えやすさ）の関係を示している。図８に、視野角の求め方を示している。図８に示すように、眼球１０１の視軸１０５に対する視野角θは、眼鏡装用距離Ｌおよび視野幅Ｆｗにより、以下の式（１）で求められる。
θ＝ｔａｎ−１（Ｆｗ／Ｌ）・・・（１）
【手続補正５】
【補正対象書類名】明細書
【補正対象項目名】００４０
【補正方法】変更
【補正の内容】
【００４０】
視軸１０５に対する視野角θが４０度から４５度の範囲は、殆どの眼鏡レンズ１０においてフレームに入れるために加工される領域であり、眼鏡レンズ１０のフレーム領域９４である。したがって、フレーム領域９４のグレア光はカットされる。
【手続補正６】
【補正対象書類名】明細書
【補正対象項目名】００６３
【補正方法】変更
【補正の内容】
【００６３】
反射防止層４４が積層されたレンズ基材４１の表面をフッ素系シラン化合物で撥水処理し、撥水膜（防汚層）４５が設けられた眼鏡レンズ１０を形成する。なお、眼鏡レンズ１０の表面１０ａの側においては、撥水処理する前に、調光機能を有する液体（コーティング液）を塗布することにより調光層３０を成膜する。調光機能を有するコーティング液としては、フォトクロミック化合物、ラジカル重合性単量体及びアミン化合物を含み、ラジカル重合性単量体がシラノール基または加水分解によりシラノール基を生成する基を有するラジカル重合性単量体を含むものを挙げることができる。
【手続補正７】
【補正対象書類名】明細書
【補正対象項目名】００７２
【補正方法】変更
【補正の内容】
【００７２】
２．  第２の実施形態
図１８（ａ）に、第２の実施形態に係る眼鏡レンズ１００ａを、物体側から見た正面図で示している。また、図１８（ｂ）に遮光層２０により実現される遮光率の分布を示している。この眼鏡レンズ１００ａも、アイポイント１１を含む高透光性領域１２と、高透光性領域１２の全周を囲むように設けられた低透光性領域１４とを含み、低透光性領域１４は、高透光性領域１２よりも遮光率が高く、周辺１５に向かって遮光率が増加する領域（グラディエント領域）１６を含む。高透光性領域１２と、低透光性領域１４との境界１３を示す破線は仮想的な線であり、実際は現れない。この眼鏡レンズ１００ａも、図１および２に示したように眼鏡フレーム９に装着することができ、ファッション性と、グレアカット機能とを合わせもった眼鏡１を提供できる。なお、本実施形態および以下の実施形態において第１の実施形態と共通する部分については共通の符号を付して説明を省略する。
【手続補正８】
【補正対象書類名】明細書
【補正対象項目名】発明の名称
【補正方法】変更
【補正の内容】
【発明の名称】レンズ